(57)【要約】【課題】ユーザーは別に信号伝送線を持ち運ぶ必要がなく、いつでもファイルの伝達や充電が可能であり、大幅にポータブル式の電子装置の利便性が向上する、ポータブル式の電子装置内に形成されるポップアウト式の信号伝送構造を提供する。【解決手段】連動構造と、スタートキーと、信号伝送端子と、締め具を含む。連動構造は第一回転軸と、第二回転軸と、第一弾性部材と第二弾性部材を有し、スタートキーは連動構造上に配置され、信号伝達末端は連動構造の第一回転軸と第一弾性部材によって、回転展開され、締め具は前記連動構造の前記第二回転軸と前記第二弾性部材によって回転移動させられる。【選択図】図１
2012134112.tif 000002
【特許請求の範囲】
【請求項１】
信号伝送構造であって、
第一回転軸と、第二回転軸と、第一弾性部材と、第二弾性部材を有する連動構造と、
前記連動構造上に配置されるスタートキーと、
前記連動構造の前記第一回転軸と前記第一弾性部材によって回転展開する信号伝送端子と、
前記連動構造の前記第二回転軸と前記第二弾性部材によって回転移動する締め具と、
を含み、
前記信号伝送端子が前記連動構造に収納されている時、前記締め具は前記信号伝送端子を係止し、前記スタートキーが押されると、前記信号伝送端子は回転展開することを特徴とする、信号伝送構造。
【請求項２】
前記スタートキーをその上で移動させる固定部材をさらに含むことを特徴とする、請求項１に記載の信号伝送構造。
【請求項３】
前記固定部材はレールを有し、前記スタートキーは前記レール上の初期位置からスタート位置の間を移動することを特徴とする、請求項２に記載の信号伝送構造。
【請求項４】
前記スタートキーは第三弾性部材によって、力を受けて停止した後、前記初期位置へと戻ることを特徴とする、請求項３に記載の信号伝送構造。
【請求項５】
前記締め具はさらに、前記信号伝送端子を係止させるフックを有することを特徴とする、請求項１に記載の信号伝送構造。
【請求項６】
前記スタートキーはさらに延長部材を含み、前記締め具はさらに斜面を有し、前記スタートキーが押された後、前記延長部材は前記斜面と当接し、前記締め具を押し動かし、回転移動させることを特徴とする、請求項１に記載の信号伝送構造。
【請求項７】
ポータブル式の電子装置であって、
構造主体と、
前記構造主体内に設けられる信号伝送構造とを含み、
前記信号伝送構造は、さらに、第一回転軸と、第二回転軸と、第一弾性部材と、第二弾性部材からなる連動構造と、
前記連動構造上に配置されるスタートキーと、
前記連動構造の前記第一回転軸と前記第一弾性部材によって回転展開する信号伝送端子と、
前記連動構造の前記第二回転軸と前記第二弾性部材によって回転移動する締め具とを含み、
ここでは、前記信号伝送端子が前記連動構造に収納されている時、前記締め具は前記信号伝送端子を係止し、前記スタートキーが押されると、前記信号伝送端子は回転展開することを特徴とする、信号伝送構造。
【請求項８】
前記連動構造はさらに固定部材と第三弾性部材を含み、前記スタートキーは前記固定部材上の初期位置とスタート位置の間を移動し、前記スタートキーは第三弾性部材によって、力を受けて停止した後、前記初期位置へと戻ることを特徴とする、請求項７に記載のポータブル式の電子装置。
【請求項９】
前記第一弾性部材と前記第二弾性部材はそれぞれねじりばねを有することを特徴とする、請求項７に記載のポータブル式の電子装置。
【請求項１０】
さらに、前記信号伝送端子が前記信号伝送構造に収納される時、前記信号伝送端子を覆う保護蓋を有することを特徴とする、請求項７に記載のポータブル式の電子装置。
【発明の詳細な説明】
【技術分野】
【０００１】
本発明は、ポップアウト式の信号伝送構造に関し、より詳しくは、ポータブル式の電子装置内に形成され、キーを押す操作を行うことにより、直接ポップアウトする信号伝送構造に関する。
【背景技術】
【０００２】
例えば、デジタルカメラ、デジタルビデオ、携帯電話、ラップトップや、タブレットパソコンなど、ポータブル式の電子製品の主なアピール点は軽く、薄く、短く、小さいことであり、かつ、機能のもれがない点であり、重量が軽く、体積が小さく、機能がしっかりとしており、可動性に優れているなどのメリットがあるため、消費者に好まれ、広く一般的に使用されている。
【発明の概要】
【発明が解決しようとする課題】
【０００３】
しかしながら、前述した従来の技術では、デジタルカメラとデジタルビデオでは撮影した写真やビデオなどのファイルの出力をするためには、通常信号伝送線やデータを伝送したり、充電したりする他の電子装置やシステムを使用する。このため、電子装置本体以外に信号伝送線を携帯する必要があった。しかし、信号伝送線がない時、ファイルの出力や充電ができず、使用する際に不便が生じていた。
【０００４】
本発明は、このような従来の問題に鑑みてなされたものである。上記課題解決のため、本発明は、連動構造と、スタートキーと、信号伝送端子と締め具を含む信号伝送構造を提供することを主目的とする。
また、本発明はどのようなデータ伝送線やデータ伝送や充電を行うその他の電子装置のポータブル式の電子装置であっても適用できる、ポップアウト式の信号伝送構造を提供する。ポップアウト式の設計を利用することで、ユーザーはスタートキーを用いて、信号伝送端子を直接ポップアウトさせることができる。信号伝送端子が収納される時、締め具によって、信号伝送端子は係止され、収納される。
さらに、本発明の別の実施形態では、構造主体と信号伝送構造を含むポップアウト式の信号伝送構造を有するポータブル式の電子装置が提供される。信号伝送構造は構造主体内に設けられ、信号伝送構造はスタートキーと、連動構造と、信号伝送端子と締め具を含む。連動構造は第一回転軸と、第二回転軸と、第一弾性部材と、第二弾性部材を有する。信号伝送端子は連動構造の第一回転軸と第一弾性部材によって、回転展開させられる。締め具は連動構造の第二回転軸と第二弾性部材によって、回転移動させられる。信号伝送端子が連動構造に収納される時、締め具は信号伝送端子を係止させ、スタートキーが力を受けて移動する時、締め具を押し動かし、回転移動させ、締め具は信号伝送端子をリリースさせ、信号伝送端子は回転展開させられる。
【課題を解決するための手段】
【０００５】
上述した課題を解決し、目的を達成するために、本発明に係る信号伝送構造は、
第一回転軸と、第二回転軸と、第一弾性部材と、第二弾性部材を有する連動構造と、
連動構造上に配置されるスタートキーと、
連動構造の第一回転軸と第一弾性部材によって回転展開される信号伝送端子と、
連動構造の第二回転軸と第二弾性部材によって回転移動させられる締め具とを含み、
ここでは、信号伝送端子が連動構造に収納されている時、締め具は信号伝送端子を係止し、スタートキーが押されると、信号伝送端子は回転展開されることを特徴とする。
【図面の簡単な説明】
【０００６】
【図１】本発明の実施形態に係る信号伝送構造の部分構造分解図である。
【図２】本発明の実施形態に係る信号伝送構造の信号伝送端子のポップアウトを示す概略図である。
【図３】本発明の実施形態に係る信号伝送構造の信号伝送端子の収納を示す概略図である。
【発明を実施するための形態】
【０００７】
以下に図面を参照して本発明を実施するための形態について、詳細に説明する。なお、本発明は、以下に説明する実施形態に限定されるものではない。
【０００８】
本発明の実施形態に係る信号伝送構造はポータブル式の電子装置に応用されるが、ポータブル式の電子装置に限られるわけではない。ポータブル式の電子装置とはハンドヘルド・コンピュータ（Handheld PC）、携帯情報末端（Personal Digital Assistant, PDA）、ＭＰＳプレーヤー（MPEG Audio Layer 3, MP3）、プレーヤー、ＧＰＳ（Global Positioning System）、モバイル通信装置、デジタルカメラ、デジタルビデオを含むが、これに限られるわけではなく、信号伝送構造の使用を必要とし、ファイルデータを伝達する電子装置はどれもこの中に含まれる。
【０００９】
図１は本発明の実施形態に係る信号伝送構造の部分構造分解図である。これによれば、信号伝送構造１００は主部材１０２と、信号伝送端子１０４と、構成部材１０６と、スタートキー１０８と、締め具１１０を含む。信号伝達機構１００はさらに信号回路１０５と、弾性部材１１２、１１４、１１６と、固定部材１１７と、ブッシュ１１８と、回転軸１２０とを含む。ここでは、信号伝送端子１０４はユニバーサル・シリアル・バス（Universal Serial Bus, USB）インターフェイス信号伝送端子か、直列バス(IEEE 1394)インターフェイス信号伝送端子であり、信号回路１０５はフレキシブルプリント基板を含み、ポータブル式の電子装置と電気的に接続させるために用いられる。さらに、信号伝送構造１００とポータブル式の電子装置の構造主体は一体型となっていてもよいが、これに限られるわけではない。これ以外に、ポータブル式の電子装置の信号処理システム（図示せず）、制御システム（図示せず）、データ保存システム（図示せず）などの部材はどれも構造主体内に設けられ、上述の図示されていない特長は本領域に熟知する技術者であれば、関連既知技術を応用し、実施することができる。
【００１０】
さらに図１によると、主部材１０２と構成部材１０６は相互に係止されるか、組み合わせられて結合し、第一回転軸はブッシュ１１８と弾性部材１１２に順々と嵌め込まれる回転軸１２０よって構成され、信号伝送端子１０４と主部材１０２は相互に組み合わせられて結合させられ、信号伝送端子１０４は弾性部材１１２によって、第一回転軸に沿って、回転展開させられる。
【００１１】
図１に示されているように、固定部材１１７は主部材１０２と構成部材１０６上に固定され、スタートキー１０８は固定部材１１７上に設けられ、固定部材１１７はレール１２１を有し、スタートキー１０８はレール１２１上の初期位置１２２からスタート位置１２４の間を移動する。さらに、締め具１１０はフック１１１を有し、締め具１１０は主部材１０２内かつ、スタートキー１０８と固定部材１１７の下に設けられ、締め具１１０は弾性部材１１４により、第二回転軸に沿って回転移動させられ、第二回転軸は弾性部材１１４に嵌め込まれる回転軸１２３によって構成される。ここでは、締め具１１０は信号伝送端子１０４を引っ掛け、係止させるために用いられ、スタートキー１０８が締め具１１０を押し動かすことによって、信号伝送端子１０４はリリースさせられる。
【００１２】
図１に示すように、弾性部材１１６はスタートキー１０８と主部材１０２の間に設けられ、スタートキー１０８は弾性部材１１６の助けにより、力を受けて停止した後、固定部材１１７上の初期位置１２２に戻り、ここでは、弾性部材１１６はねじりばねを有する。このため、回転軸１２０を構成する第一回転軸、第二回転軸、固定部材１１７、弾性部材１１２、１１４、１１６は連動構造を構成する。ここで説明している図１は信号伝送構造の主要部分の特長を示すだけである。本実施形態中で省略されている周知の特長はどれも実施形態に加えることができ、本領域に熟知している技術者はだれでも一般技術水準に基づき、本発明を実施することができる。本発明の実施形態中の組み立てと配置はただの範例であり、これに限られず、本発明に掲示されている精神を逸脱せずに行ういかなる変更や修飾はどれも後述の請求項に含まれるものとする。
【００１３】
図２は本発明の実施形態に係る信号伝送構造の信号伝送端子のポップアウトを示す概略図である。ユーザーが信号伝送端子を使用する時、スタートキー１０８を押すことによって、これは接触を受け、レール１２１に沿って、スタート位置１２４へと移動させられ、スタートキー１０８の延長部材１０９は締め具１１０の斜面１１３と当接し、締め具１１０を押し動かし、回転移動させ、この時、締め具１１０のフック１１１は信号伝送端子１０４上の孔部１０７から離脱し、このため、弾性部材１１２の作用により、信号伝送端子１０４は回転展開される。具体的にいえば、もし弾性部材１１２と弾性部材１１４がそれぞれねじりばねを採用するのであれば、締め具１１０はねじりばねが変形した後、回復力の駆動によって、スタートキー１０８によって押し動かされる前の位置へと戻され、スタートキー１０８は弾性部材１１６の変形回復力の作用によって、レール１２１上の初期位置１２２へと戻される。
【００１４】
図３は本発明の実施形態に係る信号伝送構造の信号伝送端子の収納を示す概略図である。ユーザーが信号伝送端子１０４を押し、収納動作を行う時、信号伝送端子１０４は回転軸１２０を構成する第一回転軸に沿って回転させられ、締め具１１０のフック１１１が信号伝送端子１０４の孔部１０７に引っ掛かるまで回転し、そこで止まる。この時、弾性部材１１６の作用によって、スタートキー１０８は依然として固定部材１１７上の初期位置１２２に留まったままであり、かつ、スタートキー１０８の延長部材１０９は締め具１１０の斜面１１３とは接触しない。さらに、弾性部材１１４の作用により、締め具１１０は信号伝送端子１０４と当接し、信号伝送端子１０４に対して力は加え続けられ、このため、フック１１１は信号伝送端子１０４の孔部１０７を引っ掛け続け、かつ、締め具１１０は信号伝送端子１０４を係止させ、これにより、信号伝送端子１０４は信号伝送構造１００内に収納される。
【００１５】
これ以外に信号伝送構造１００はさらに保護蓋（図示せず）を含んでいてもよく、信号伝送端子１０４が信号伝送構造１００に収納される時、信号伝送端子１０４を覆い、保護し、信号伝送端子１０４は直接外に露出しない。ここでは、保護蓋は一端が収納信号伝送端子１０４に固定される口の開いたフレキシブルゴムである。フレキシブル式の保護蓋がある前提下では、ユーザーがスタートキーを右に押すことによって、信号伝送端子１０４はポータブル式の電子装置の信号伝送構造１００からポップアウトし、この時、保護蓋の活動端も同時にポップアウトするが、ユーザーは先に保護蓋を開け、さらにスタートキー１０８を押してもよく、ユーザーが信号伝送端子１０４を押した後、保護蓋を手で信号伝送端子１０４の開口部上にかぶせることもできる。
【００１６】
本発明で提示されるポップアウト式の信号伝送構造の主要部分はスタートキー、締め具と信号伝送端子によって構成される。ポップアウトデザインを利用することにより、ユーザーはスタートキーによって信号伝送端子を直接ポップアウトさせることが可能となる。ユーザーがスタートキーを押し動かす時、信号伝送端子を固定させている締め具は移動させられ、信号伝送端子は信号伝送構造からポップアウトさせられる。ユーザーが信号伝送端子を押す時、信号伝送端子は締め具により信号伝送構造内に係止させられ、収納させられる。
【００１７】
本発明で提示されるポップアウト式の信号伝送構造は伝送線とその他電子システムの電気的接続を必要とするどのような場所においても適用でき、データ伝達や、充電目的のポータブル式の電子装置が達成させられる。本発明のポップアウト式の信号伝送構造を使用することによって、伝送線を持ち運び、使用することなく、データ伝達や充電を行うことができる。つまり、ポータブル式の電子装置の信号伝送構造が増加し、ポータブル式の電子装置を例えば、パソコン、ラップトップなどの外部システムや装置と連結させることができ、伝送線を使用する必要がなく、これによって、使用上の利便性が向上する。これ以外に、本発明で提示されるポップアウト式の信号伝送構造はポータブル性、データ伝送、充電の利便性を向上させるだけでなく、スタートキーの助けを借りて信号伝送構造をポップアウトさせ、操作の利便性を増加させることができる。
【００１８】
上述の実施形態は本発明の技術思想及び特徴を説明するためのものにすぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００１９】
１００  信号伝送構造
１０２  主部材
１０４  信号伝送端子
１０５  信号回路
１０６  構成部材
１０７  孔部
１０８  スタートキー
１０９  延長部材
１１０  締め具
１１１  フック
１１２  弾性部材
１１３  斜面
１１４  弾性部材
１１６  弾性部材
１１７  固定部材
１１８  ブッシュ
１２０  回転軸
１２１  レール
１２２  初期位置
１２３  回転軸
１２４  スタート位置
【図１】
2012134112.tif 000003
【図２】
2012134112.tif 000004
【図３】
2012134112.tif 000005